(57)【特許請求の範囲】
【請求項１】
ユーティリティエリア棟とこれと別棟のマルチパーパスエリア棟とを連絡通路で繋いだ多目的建物であって、
前記ユーティリティエリア棟は、エレベーター、階段等の縦移動手段を備え、
前記マルチパーパスエリア棟は、１又は２以上の独立した躯体架構から構成され、
前記躯体架構は、該架構の輪郭線上にのみ立設され、複数階層に亘って上下方向に延びる複数本の柱と、前記輪郭線上にのみ配設されて前記柱に剛接合された大梁と、対向する前記大梁間に小間隔で掛渡されて前記大梁に接合された小梁とから構成され、
前記独立した躯体架構内エリアは、無柱のプランニングフリーの大スペースとされた多目的建物。
【請求項２】
前記小梁は、少なくともその材軸方向の中央部が、プレキャストプレストレストコンクリート製であることを特徴とする請求項１に記載された多目的建物。
【請求項３】
床スラブは前記大梁と前記小梁の脇腹に接合されていることを特徴とする請求項１乃至請求項２のいずれかに記載された多目的建物。
【請求項４】
前記小梁は、少なくともその材軸方向の両端部下端に下フランジを備えることを特徴とする請求項１乃至請求項３のいずれかに記載された多目的建物。
【請求項５】
前記小梁の上端に床を載置して張設するとともに、前記小梁の下方に間隔を設けて天井を吊設することにより、天井内空間と床下内空間が形成されていることを特徴とする請求項１乃至請求項４のいずれかに記載された多目的建物。
【請求項６】
前記柱の内側に縦配管用シャフトが付設されていることを特徴とする請求項１乃至請求項５のいずれかに記載された多目的建物。
【請求項７】
前記縦配管用シャフト内の縦配管と結合された横引き配管は、前記床下内空間において前記小梁に沿う方向にのみ配設されていることを特徴とする請求項６に記載された多目的建物。
【請求項８】
隣り合う小梁の間に前記縦配管用シャフトが付設されていない前記床下内空間に配設された横引き配管は、前記天井内空間において一端が前記縦配管に接続され、他端が前記床スラブを貫通する分配管に結合されていることを特徴とする請求項７に記載された多目的建物。
【請求項９】
前記床スラブ上面の分配管が貫通する貫通孔周辺には、流下液溜が形成されていることを特徴とする請求項７乃至請求項８のいずれかに記載された多目的建物。
【請求項１０】
前記床スラブ上面全面に、流下液溜が形成されていることを特徴とする請求項７乃至請求項８のいずれかに記載された多目的建物。
【請求項１１】
前記床には、生活用及び/又は業務用の各種機器と接続する接続口が、適宜間隔をおいて予め備え付けられていることを特徴とする請求項７乃至請求項８のいずれかに記載された多目的建物。
【発明の詳細な説明】
【技術分野】
【０００１】
この発明は、多目的建物に関し、特に一般的な事務オフィス、研究施設、入院期間を短縮した急性期病院や博物館や図書館等の公共建築物に適合した多目的建物に関する。
【背景技術】
【０００２】
従来、構造躯体内の改修が容易で、長寿命を実現し、快適な居住空間の提供に対応できるユニバーサルデザインを適用したバリアフリー建築物を提供することを目的として、構造躯体が架構形態の異なる構造体を層状に複数積み重ねて構成され、構造躯体と内装設備を分離して計画し、構築するバリアフリー建築物において、前記構造躯体のうち、図９に示す、最上層に設けられる上部構造体５１が、柱５３とウェブ５４に複数の開口部５５を有する大梁５４を剛接合してなる大スパンの単純なラーメン構造５２を並列に複数配置された層を多層に設けた構造を有しており、隣り合う前記ラーメン構造５２どうしを連結する連結梁５６が１スパンおきに間欠的に配置されるとともに、柱５３、５３間にシャフト５７が設けられ、各階の床を構成する無梁版が前記大梁５４及び連結梁５６に直接架設されて無柱空間を構成し、空調機械室が前記上部構造体の四隅に配置されるとともに、前記上部構造体５１の外周部にはバルコニーが形成され、バルコニーの床には、設備配管類５８が敷設されているバリアフリー建築物が提案されている。
【特許文献１】特開２００３−１１９８８６号公報
【０００３】
しかしこのバリアフリー建築物は、架構短手方向で対向する柱間に大梁を掛け渡して剛接合している関係で、架構長手方向で隣接する柱間に縦シャフトを配置せざるを得ないことから、この縦シャフトが眺望を妨げる。
また、上部構造体が、単純なラーメン構造を並列に複数配置された層を多層に設けた構造を有していることから大きな無柱空間が設けられ、配管設備類が自在なレイアウトが可能となるものの、大梁に孔を穿設する必要があることから、強度面で好ましい構造ではない。
【０００４】
さらに、横引き配管やダクト、配線等を敷設するには、ラーメン構造を構成する大梁に開口部を設ける必要があるため、梁背を大きくするときは階高が高くなる場合がある。
さらにまた、各階の床を構成する無梁版が前記大梁及び連結梁下端に直接架設され、天井はこの無梁版下方に間隔を空けて吊設する必要があることから、この面でも階高が高くならざるを得ない。
【発明の開示】
【発明が解決しようとする課題】
【０００５】
本発明は、上記の実情に鑑み、建物中央部に柱を立てない無柱のプランニングフリーの大スペースを確保することができ、柱間に眺望を妨げる縦配管用シャフトを設置する必要がなく、広い眺望を確保して利用者に対し快適な生活環境を提供することができ、しかも階高を増すことなく床下内空間と天井内空間を効果的に確保することができる、躯体架構強度の大きな多目的建物を提供することを目的としている。
【課題を解決するための手段】
【０００６】
請求項１に係る発明は、ユーティリティエリア棟とこれと別棟のマルチパーパスエリア棟とを連絡通路で繋いだ多目的建物であって、前記ユーティリティエリア棟は、エレベーター、階段等の縦移動手段を備え、前記マルチパーパスエリア棟は、１又は２以上の独立した躯体架構から構成され、前記躯体架構は、該架構の輪郭線上にのみ立設され、複数階層に亘って上下方向に延びる複数本の柱と、前記輪郭線上にのみ配設されて前記柱に剛接合された大梁と、対向する前記大梁間に小間隔で掛渡されて前記大梁に接合された小梁とから構成され、前記独立した躯体架構内エリアは、無柱のプランニングフリーの大スペースとされていることを特徴としている。
【０００７】
請求項２に係る発明は、前記小梁は、少なくともその材軸方向の中央部がプレキャストプレストレストコンクリート製であることを特徴としている。
【０００８】
請求項３に係る発明は、床スラブが前記大梁と前記小梁の脇腹に接合されていることを特徴としている。
【０００９】
請求項４に係る発明は、前記小梁は、少なくとも材軸方向の両端部下端に下フランジを備えることを特徴としている。
【００１０】
請求項５に係る発明は、前記小梁の上端に床を載置して張設するとともに、前記小梁の下方に間隔を設けて天井を吊設することにより、天井内空間と床下内空間が形成されていることを特徴としている。
【００１１】
請求項６に係る発明は、前記柱の内側に縦配管用シャフトが付設されていることを特徴としている。
【００１２】
請求項７に係る発明は、前記縦配管用シャフト内の縦配管と結合された横引き配管は、前記床下内空間において前記小梁に沿う方向にのみ配設されていることを特徴としている。
【００１３】
請求項８に係る発明は、隣り合う小梁の間に前記縦配管用シャフトが付設されていない前記床下内空間に配設された横引き配管は、前記天井内空間において一端が前記縦配管に接続され、他端が前記床スラブを貫通する分配管に結合されていることを特徴としている。
【００１４】
請求項９に係る発明は、前記床スラブ上面の分配管が貫通する貫通孔周辺には、流下液溜が形成されていることを特徴としている。
【００１５】
請求項１０に係る発明は、前記床スラブ上面全面に、流下液溜が形成されていることを特徴としている。
【００１６】
請求項１１に係る発明は、前記床には、生活用及び/又は業務用の各種機器と接続する接続口が、適宜間隔をおいて予め備え付けられていることを特徴としている。
【発明の効果】
【００１７】
請求項１に係る発明によれば、柱は躯体架構の輪郭線上にのみ配設され、建物中央部に柱を必要としないので、無柱のプランニングフリーの大スペースを確保することができ、例えばこの多目的建物を病棟として使用した場合、患者の看護と治療に特化して自由な病棟プランが可能となる。
また、大梁は郭線上にのみ配設されて柱に剛接合されていることから、柱の建物内側に大梁が接合される必要がないので、柱の内側に縦配管用シャフトを付設することができ、柱間に眺望を妨げる縦配管用シャフトを設置する必要がない。
【００１８】
請求項２に係る発明によれば、小梁は、プレキャストプレストレストコンクリートにて製作されているので、建物中央部において柱を設置しなくても、長スパンの躯体架構を構築することが可能である。
【００１９】
請求項３に係る発明によれば、床スラブは大梁と小梁の脇腹に接合されているので、躯体架構との一体性を保つことができる。そして、プレキャスト時にその脇腹に定着筋を横方向に突出させておけば、容易でありながら強固に床スラブと接合可能である。
また、床スラブを挟んでその上下に床下内空間と天井内空間を確保することができる。
さらに、小梁の脇腹と床スラブの接合高さ位置を上下調整することにより、床下内あるいは天井内空間高さを自在に調整しうる。
【００２０】
請求項４に係る発明によれば、小梁の強度を向上させることができ、また小梁内部下端に材軸方向の鋼材を配置するスペースが得られる。通常のコンクリート系の小梁の形状は矩形若しくは上フランジを有するＴ型であるが、ここではその材軸方向の両端部若しくは全長に亘って下フランジを備えるＩ型若しくは逆Ｔ型となる。
この形状であれば、小梁の構造性能を向上させるのみならず、上記床スラブを小梁脇腹に容易に接合可能である。
【００２１】
請求項５に係る発明によれば、天井内空間は小梁の下方に間隔を設けて天井を吊設して形成されているので、この空間内を空調用ダクトや各種配管が、小梁と平行する方向のみならず直交する方向にも敷設可能である。
【００２２】
請求項６に係る発明によれば、柱間に眺望を妨げる縦配管用シャフトを設置する必要がないから、広い眺望を確保して利用者に対し快適な生活環境を提供することができる。
【００２３】
請求項７に係る発明によれば、縦配管用シャフト内の縦配管と結合された横引き配管は、前記床下内空間において前記小梁に沿う方向にのみ配設されているので、床スラブを設ける高さは自由に選択でき、床スラブを小梁の脇腹に接合することができる。また、小梁に貫通孔を設ける必要がないので、小梁の梁背を小さくできる。
【００２４】
請求項８に係る発明によれば、隣り合う小梁の間に縦配管用シャフトが付設されていない床下内空間に配設された横引き配管は、天井内空間において一端が縦配管に接続され、他端が床スラブを上下に貫通する分配管に結合されているので、隣り合う小梁の間に縦配管用シャフトが付設されていない床下内空間にも横引き配管を配設することができ、後述する各種機器との接続口をきめ細かく配置することができる。
また、躯体架構の必要強度に応じて小梁の配設ピッチを自在に設定することができる。
【００２５】
請求項９に係る発明によれば、床スラブ上面の分配管が貫通する貫通孔周辺には、流下液溜が形成されているので、床にこぼれて接続口を介して流れ落ちる液体を流下液溜にて堰き止め、細菌や毒物等の有害物の床下内蔓延を防止することができる。
【００２６】
請求項１０に係る発明によれば、前記床スラブ上面全面に、流下液溜が形成されているので、大量に床にこぼれて流れ落ちる液体を床スラブの流下液溜にて堰き止めることができる。
【００２７】
請求項１１に係る発明によれば、床及び天井には、生活用及び/又は業務用の各種機器と接続する接続口が、適宜間隔をおいて予め備え付けられているので、生活用及び/又は業務用の各種機器を任意の場所に設置することが可能である。
【発明を実施するための最良の形態】
【００２８】
本発明の多目的建物１は、マルチパーパスエリア棟３とユーティリティエリア棟２とから構成され、このマルチパーパスエリア棟３は、独立した躯体架構６を単一で又は複数組合せて構成される。
この躯体架構６は、該架構の輪郭線上にのみ立設され、複数階層に亘って上下方向に延びる複数本の柱７と、輪郭線上にのみ配設されて前記柱に剛接合された大梁８と、対向する前記大梁間に小間隔で掛渡されて前記大梁８に接合された小梁９とから構成されるから、無柱のプランニングフリーの大スペースを確保することができる。
そして、この無柱のプランニングフリーの大スペースを備えた建物は、病床規模の縮減、入院日数の短期化、看護単位の小規模化、看護重視型の医療システム等の多様な変化に柔軟に対応することができる、フレキシブルな病室を備えた急性期病院における次世代型病棟に好適であるばかりでなく、一般オフィスビル、研究施設、博物館、美術館等の用途にも適している。
また、建物を特定の用途に供している途中において、建物の全部又は一部を他の用途に簡単に変更することができ、結果として建物を長期間有効に利用することができ、資源を有効に利用し省エネルギーに資することができる。
さらに、建物の改修あるいは建物の用途変更において、他のフロアーの運営に影響を与えないで、フロアー毎にそれらの工事を実施することができる。
さらにまた、建物がマルチパーパスエリア棟とユーティリティエリア棟に分けられていることにより、エレベーターや階段、または設備の増設が計画された場合でも、マルチパーパスエリア棟の運営への影響を最小限に留めてユーティリティエリア棟での工事を進めることができる。
【実施例】
【００２９】
本発明の実施例について図１乃至図１０を参照して説明する。
図１は、本発明に係る多目的建物の一つの実施例を全体的に示す斜視図であり、図２は、図１の多目的建物の躯体構造を示す平面図であり、図３は、本発明の他の実施例の躯体構造を示す概念平面図である。
図４は、図１の小梁端部の断面図であり、図５は、図１の小梁中央部の断面図であり、図６は、図１の小梁方向の断面図であり、図７は、小梁方向の側面図と小梁と直交する断面図である。
図８は、本発明を病棟に適用した実施例の平面図であり、図９は、図８を一部拡大して示す断面図である。
図１０は、従来例の躯体架構を部分的に示す部分斜視図である。
【００３０】
以下、建物の全体について図１〜図３を参照して説明する。
１は多目的建物全体を示し、２はユーティリティエリア棟、３はマルチパーパスエリア棟、４は両棟を連絡する連絡通路である。
この実施例の多目的建物１は、２つの独立した躯体架構６、６を繋いだ構造である。この躯体架構６は、柱７と大梁８と小梁９とから構成されている。
柱７は、躯体架構の平面形状を規定する、図２の太線で示す輪郭線上にのみ複数本立設され、複数階層に亘って上下方向に延びている。
そして、大梁８は上記郭線上にのみ配設されて上記柱７に階層毎に剛接合されている。
【００３１】
この躯体架構６は、その平面形状が長方形とされており、輪郭線上、すなわち架構外周部にのみ３ｍ間隔で配された柱７には、輪郭線に沿って配される大梁８が剛接合されていて、この柱７と大梁８とでラーメン構造を構成して外周部を耐震フレームとしている。対向する大梁８、８間にプレキャストプレストレストコンクリート（ＰＣａＰＣ）製の小梁９が例えば１．５ｍの小間隔で掛渡されて大梁８に接合されている。
この多目的建物１の２つの躯体架構６が並列して設けられた実施例では、図１に示すように両架構６、６を大梁８で連結してもよい。
マルチパーパスエリア棟３は、上記の躯体架構６から構成されているので、無柱のプランニングフリーの、例えば、１つの躯体架構６で３６ｍ×２７ｍ、２つの躯体架構６を連結して８４ｍ×２７ｍの大きなフリースペースを実現している。
このように、本実施例においては、隣り合う２つの躯体架構６自体の内部とそれらの間には、階段室、機械室、パイプシャフト・ダクトスペース（ＰＳ・ＤＳ）等を備えたユーティリティ設備を設けず、これら設備は、ユーティリティエリア棟２と各躯体架構６、６の４隅の外側に設けて、マルチパーパスエリア棟３内を広いフリースペースとしている。
また、柱7’、大梁8’からなる付加的な架構6’を築いて耐震機能をもたせるようにすることもできる。
上述したように、小梁９はプレキャストプレストレストコンクリート造としているが、ＲＣ造、ＳＲＣ造、Ｓ造であってもよい。また、柱７と大梁８はＲＣ造、ＳＲＣ造、Ｓ造のいずれであってもよい。
【００３２】
上記実施例においては、マルチパーパスエリア棟３は躯体架構６が２つ連結した構造とされ、これとは別棟のユーティリティエリア棟２が建てられているが、図３（ａ）に示すように、１つのマルチパーパスエリア棟３に対して１つのユーティリティエリア棟２を設けた形態、あるいは、同図（ｂ）に示すように、１つのユーティリティエリア棟２に４つのマルチパーパスエリア棟３を連結した形態のように、土地の広さやその形状にしたがって、上記独立した１つの躯体架構６を一単位として、何単位連結するかは自由に設計可能である。
【００３３】
多目的建物１は上述の躯体架構６にて構造的に壁を要することなく構築されているので、建物の周囲や内部に構造壁を設ける必要がない。
このため、外壁に透明性のあるウォールカーテンを用いると、柱以外概観を妨げるものがない。
そして、連絡通路４の間口は、ユーティリティエリア棟２の間口に比べて小さく設定されているから、ユーティリティエリア棟２をマルチパーパスエリア棟３に直接隣接させた構造に比べ、マルチパーパスエリア棟３の窓部面積を増大し、自然採光を確保し視界を良好に保つことができる。
【００３４】
次いで、図４〜７を参照して、小梁と床スラブの構造及び各種配管と配線の構成について説明する。
床スラブ１０は大梁８と小梁９の脇腹に接合されている。
小梁９は、その上端に全長に亘る上フランジ９３を備えるとともに、その両端部下端にのみ下フランジ９４を備えている。小梁９は、材軸方向中央部をプレキャストプレストレストコンクリート梁９１とし、両端部をプレキャスト若しくは現場打設の鉄筋コンクリート梁９２としている。小梁９の長さが一定より長いと運搬上の都合より、梁を材軸方向において分割する必要があり、この場合、曲げモーメントの大きい中央部をプレキャストプレストレストコンクリート梁としている。中央部は緊張材９５を緊張してプレストレスが導入できるので、通常の断面である上フランジ９３を備えたＴ型の梁９Ａとし、両端部は鉄筋コンクリート梁９２であるので、下端に多くの引張鉄筋９６が必要なことから、断面間性能を向上させるために上フランジ９３及び下フランジ９４を備えたＩ型の梁９Ｂとしている。
この形状であれば、小梁両端部において床スラブ１０を小梁脇腹に容易に接合可能である。
【００３５】
小梁９の上端面には、床１８が載置して張設されており、また、小梁９の下方には間隔を設けて天井１９が吊設されている。こうすることにより、床スラブ１０を挟んで天井内空間１１と床下内空間１２が形成されている。
【００３６】
一方、柱７の内側には、内部に縦配管１５を収容する縦配管用シャフト１３が付設されている。横引き配管１６は、この縦配管用シャフト１３内の縦配管と結合され、床下内空間１２においては小梁９に沿う方向にのみ配設され、小梁９と直交する方向には一切配管されていない。このため、小梁９のウェブに配管用の孔を設ける必要がないので、従来のものに比べ小梁９の断面形状を小さく設定することが可能となっている。
【００３７】
小梁９の配設間隔を小さくする等、何らかの事情で隣り合う小梁９の間に縦配管用シャフト１３を付設できないときは、当該空間の床下内空間１２に配設された横引き配管１６は、階下の天井内空間１１において一端が縦配管１５に接続され、他端が床スラブ１０を上下に貫通する分配管１７に結合することにより、配管可能としている（図４参照）。
なお、図示を省略しているが、分配管１７を縦配管１５から床上を通して配管して横引き配管１６に接続してもよい。この場合は、分配管１７は覆いケーシングにて被覆される。
【００３８】
主として図２を参照して配管とダクトの構成について説明する。
新鮮空気は、各躯体架構６の４隅部の外側に設置された８つの各階機械室にて熱交換して外気処理され、天井内空間１１内の空調用ダクト１４を通じて供給される。
各フロアーからの排気は、天井空間内に設置された排気ファンを内蔵する排気ダクトを経由して建物外へ排出される（図１、図６参照）。
なお、排煙については、最上階または各階に設置された機械室を経由して排気される。
各階天井内空間１１に敷設されるスプリンクラー用配管、火災報知器用配線、照明用電線等については、図２左右下のＰＳ・ＤＳ内を縦方向に伸びている。
一方、ユーティリティエリア棟２と躯体架構６、６間の外側に配置されたＰＳ・ＤＳは、床下内空間１２に敷設される冷水管、温水管、給水管、給湯管については、一旦屋上に導いて屋上で横引して上記縦配管用シャフト１３を通じて各階に導いている。一方、100V等強電電源用電線、LAN・インターネット、放送用線ねナースコール用敗戦等の情報系ケーブルについては、縦配管用シャフト１３を通じて各階に導いている。
そして、これらの各種管及び各種線は、縦配管用シャフト１３を介して上下から各階に配給され、床下内空間１２内で各階横引き配管１６に接続される等して、上記小梁９に沿って水平方向に導いている。
もちろん、各階汚水・雑排水用横引き排水管は、縦配管用シャフト１３内の縦配管１５に接続される。
また、建物の用途による特殊の配管、例えば病棟用の医療ガスや研究設備用のクリーンエア等の特殊な配管等は、建築時又は用途変更時において敷設することとしている。
【００３９】
大きなフリースペース内において個人的な空間が必要な場合は簡易な間仕切りを多角形に組合わせたパーソナルユニットを用いることで対応する。図７の左側の躯体架構６によって構築された病棟では、６角形を基本形としてその半分程度が開閉自在とされたパーソナルユニット２０が４５床配置された事例が示され、また、同図の右側の病棟では、４角形を基本形としてその半分程度が開かれたパーソナルユニット２０が４５床配置された事例が示されている。
【００４０】
本実施例においては、看護士が常駐するサービスステーションは、２つの躯体架構６、６間にレイアウトし、また、各躯体架構６における洗面ＷＣエリアは中央部に４箇所確保している。
【００４１】
これらのパーソナルユニット２０は、その高さが２ｍ前後に設定されており、隣り合う患者同士はベッドに寝た姿勢あるいは座った姿勢では目線が合わないようにして個室に準ずる環境を確保している。
また、これらのパーソナルユニット２０は、その中心部近傍にてフレキシブル管を介して床面に形成された接続部のカップリングに接続することにより、パーソナルユニット２０を回転自在として、重症患者をサービスステーション近傍に配し、常時監視を行ったり、重篤期を越えた患者は窓を通じて風景を目視できる向きに変更することが可能である。
【００４２】
また、パーソナルユニット２０のベッドの枕元には、衣類、洗面用具、書籍、雑誌、金庫等を収納するストックユニットと、医療ガス、ナースコール、処置灯、コンセント等を内蔵するメディカルユニットと、照明、パーソナル空調・脱臭器、テレビ受像機、インターネット接続機能を備えたアメニティユニットとを配設してある。
これら各ユニットは、容易に接合分解することが可能で、後述する移動に際しての作業負担を軽減している。なお、パーソナルユニット２０と一体化してもよいこと勿論である。
そして、床には、これらメディカルユニット等の各ユニットの各種機器と接続する接続口が、適宜間隔をおいて床面に予め備え付けられているので、これら各ユニットの各種機器はその接続口のカップリングや接続器具に接続すればよい。
【００４３】
上述したパーソナルユニット２０は、その中心を軸として回転できるのみならず、ユニット全体を別の場所に移動可能でもある。
このことにより、病棟の病床数が削減されるときには、不要となったユニットを病棟から撤去して、患者ひとりあたりの面積を増加させたり、サービスステーション充実にあてたりすることができる。
【００４４】
以上の構成の多目的建物１は、床上において水や血液等の液体がこぼれ、床から漏水して床スラブ１０上に浸水する可能性がある。
このため、本実施例においては、床スラブ上面全面あるいは床スラブ上面の分配管が貫通する貫通孔周辺に、堤防にて囲繞された流下液溜を形成して、流下した液体が階下に流亡することを防止している。
【図面の簡単な説明】
【００４５】
【図１】本発明に係る多目的建物の一実施例を示す斜視図である。
【図２】図１の多目的建物の躯体構造を示す平面図である。
【図３】本発明の他の実施例の躯体構造を示す概念平面図である。
【図４】図１の小梁端部の断面図である。
【図５】図１の小梁中央部の断面図である。
【図６】小梁方向の断面図である。
【図７】小梁方向の側面図と小梁と直交する断面図である。
【図８】本発明を病棟に適用した実施例の平面図である。
【図９】図８を一部拡大して示す断面図である。
【図１０】従来技術のバリアフリー建築物の構造架構を示す斜視図である。
【符号の説明】
【００４６】
１  多目的建物
２  ユーティリティエリア棟
３  マルチパーパスエリア棟
４  連絡通路
５  ユーティリティスペース
６  躯体架構
７  柱
８  大梁
９  小梁
１０  床スラブ
１１  天井内空間
１２  床下内空間
１３  縦配管用シャフト
１４  空調ダクト
１５  縦配管
１６  横引き配管
１７  分配管
１８  床
１９  天井
２０  パーソナルユニット
【図１】
0005255299.tif 000002
【図２】
0005255299.tif 000003
【図３】
0005255299.tif 000004
【図４】
0005255299.tif 000005
【図５】
0005255299.tif 000006
【図６】
0005255299.tif 000007
【図７】
0005255299.tif 000008
【図８】
0005255299.tif 000009
【図９】
0005255299.tif 000010
【図１０】
0005255299.tif 000011